(57)【要約】【課題】木造住宅における横架材の実際のたわみ挙動を考慮した伏図設計支援を行う。【解決手段】木造住宅の伏図を構成する横架材の仕様をたわみ許容条件を満足する様に決定するための設計支援装置であって、横架材毎のたわみ量を算出し（Ｓ１００）、同層階において仕口接合される他の横架材、及び、下層階において柱を介して接合される他の横架材が存在する横架材について、他の横架材のたわみ量による影響を加味したたわみ量に修正し（Ｓ２００）、修正後のたわみ量を考慮した上で、各横架材がたわみ許容条件を満足しているか否かを判定し（Ｓ４００）、たわみ許容条件を満足しないと判定された横架材について、他の横架材が存在する場合は当該横架材を特定した判定結果をモニタ表示する（Ｓ６００）。【選択図】  図１
2019067277.tif 000002
【特許請求の範囲】
【請求項１】
木造住宅の伏図を構成する横架材の仕様をたわみ許容条件を満足する様に決定するための設計支援装置であって、以下の構成を備えたことを特徴とする木造住宅用伏図設計支援装置。
（１Ａ）前記横架材毎にたわみ量を算出するたわみ量算出手段を備えていること。
（１Ｂ）同層階の他の横架材に対して仕口接合される横架材、及び、下層階の他の横架材に対して柱接合される横架材において前記たわみ量算出手段が算出したたわみ量に対し、前記仕口接合、又は、柱接合がなされる他の横架材に生じるたわみ量を加えたたわみ蓄積量を算出するたわみ蓄積量算出手段を備えていること。
（１Ｃ）前記たわみ量又は前記たわみ蓄積量が前記たわみ許容条件を満足しているか否かを判定するたわみ量判定手段を備えていること。
【請求項２】
さらに、以下の構成をも備えたことを特徴とする請求項１に記載の木造住宅用伏図設計支援装置。
（２）前記たわみ量判定手段によってたわみ許容条件を満足しないと判定された横架材について、前記他の横架材が存在する場合は当該横架材を特定することができる様に、判定結果を出力する判定結果出力手段を備えていること。
【請求項３】
コンピュータを、請求項１又は２に記載の木造住宅用伏図設計支援装置における演算処理を実行させるための演算処理手段として機能させるための木造住宅用伏図設計支援プログラム。
【発明の詳細な説明】
【技術分野】
【０００１】
本発明は、木造住宅用プレカット加工のための伏図設計支援装置及びプログラムに係り、特に、構造強度を考慮した伏図の設計を支援するための装置及びプログラムに関する。
【背景技術】
【０００２】
従来、コンピュータに入力した伏図について、梁の曲げ及びたわみの計算結果を画面上に表示する様にした住宅の構造計画支援方法（特許文献１）や、こうした計算の結果、不合格と判定された部材を伏図上で他の部材と区別して表示させる構造計算方法（特許文献２）が提案されている。
【０００３】
特許文献１，２が提案する技術によれば、たわみが許容値を超えている梁を伏図上で特定し、作業者に修正を促すことができる。
【先行技術文献】
【特許文献】
【０００４】
【特許文献１】特開平９−３１６９９４
【特許文献２】特開平１１−８５８１８
【発明の開示】
【発明が解決しようとする課題】
【０００５】
しかし、特許文献１，２が提案する技術は、個々の横架材のスパン長・断面係数等に基づくたわみ計算でしかなく、実施の木造住宅において仕口接合される同層階の他の横架材との関係や柱接合される下層階の他の横架材との関係等は考慮されておらず、木造住宅における横架材の実際のたわみ挙動を十分に考慮したものとなってはいない。
【０００６】
そこで、本発明は、木造住宅における横架材の実際のたわみ挙動を考慮した伏図設計支援を行うことを目的とする。
【課題を解決するための手段】
【０００７】
上記目的を達成するためになされた本発明の木造住宅用伏図設計支援装置は、木造住宅の伏図を構成する横架材の仕様をたわみ許容条件を満足する様に決定するための設計支援装置であって、以下の構成を備えたことを特徴とする。
（１Ａ）前記横架材毎にたわみ量を算出するたわみ量算出手段を備えていること。
（１Ｂ）同層階の他の横架材に対して仕口接合される横架材、及び、下層階の他の横架材に対して柱接合される横架材において前記たわみ量算出手段が算出したたわみ量に対し、前記仕口接合、又は、柱接合がなされる他の横架材に生じるたわみ量を加えたたわみ蓄積量を算出するたわみ蓄積量算出手段を備えていること。
（１Ｃ）前記たわみ量又は前記たわみ蓄積量が前記たわみ許容条件を満足しているか否かを判定するたわみ量判定手段を備えていること。
【０００８】
本発明の木造住宅用伏図設計支援装置によれば、たわみ量判定手段は、同層階において仕口接合される他の横架材、及び、下層階において柱を介して接合される他の横架材のたわみ量による影響をも考慮して、各横架材がたわみ許容条件を満足するか否かを判定するから、木造住宅における横架材の実際のたわみ挙動を考慮した判定を実施することができる。ここで、「たわみ蓄積量算出手段」は、「前記他の横架材について前記仕口接合された箇所又は柱接合された箇所に生じるたわみ量を加えることにより、前記たわみ蓄積量を算出する手段」として構成することができる。なお、「前記たわみ量判定手段は、前記たわみ蓄積量が算出されていない横架材については、前記たわみ量算出手段が算出したたわみ量に基づいて、各横架材が前記たわみ許容条件を満足しているか否かを判定する手段」としても機能する様に構成しておくとよい。
【０００９】
本発明の木造住宅用伏図設計支援装置は、さらに、以下の構成をも備えるとよい。
（２）前記たわみ量判定手段によってたわみ許容条件を満足しないと判定された横架材について、前記他の横架材が存在する場合は当該横架材を特定することができる様に、判定結果を出力する判定結果出力手段を備えていること。
【００１０】
かかる構成をも備えた木造住宅用伏図設計支援装置によれば、たわみ量判定手段によってたわみ許容条件を満足しないと判定された横架材について、判定結果出力手段は、たわみ蓄積量算出の元となった他の横架材が存在する場合は、当該横架材を特定できる様に判定結果の出力、例えば、コンピュータ画面に対する表示出力、を行う。このとき、「前記判定結果出力手段は、前記他の横架材が存在しない横架材が、単体でたわみ許容条件を満足していないときは、当該単体の横架材のみを特定した判定結果を出力する手段」ともなる様に構成しておくことができる。この装置によれば、他の横架材のたわみ量の影響を受けてたわみ許容条件を満足していないと判定された横架材だけでなく、当該判定結果に影響を与えた他の横架材をも作業者に知らせることができる。この結果、作業者は、「どの横架材の材成や素材を変更したらよいか」、「横架材同士の接合関係や柱による支持の関係を変更したらよいか」等、たわみ許容条件を満足させるための有効な情報を得ることができる。
【００１１】
この場合、さらに、以下の構成をも備えるとよい。
（３）前記判定結果出力手段は、各横架材が配置される階層に関する情報を前記判定結果と共に出力する手段として構成されていること。
【００１２】
階層に関する情報を判定結果と共に出力することにより、例えば、たわみ許容条件を満足しないと判定された横架材の存在する階層の伏図には表れない下層階の横架材を、二次元画面上で特定する、等の出力が可能となる。
【００１３】
これら本発明の木造住宅用伏図設計支援装置は、「コンピュータを、上述の木造住宅用伏図設計支援装置における演算処理を実行させるための演算処理手段として機能させるための木造住宅用伏図設計支援プログラム」によって実現することができる。
【発明の効果】
【００１４】
本発明によれば、木造住宅における横架材の実際のたわみ挙動を考慮した伏図設計支援を行うことができる。
【図面の簡単な説明】
【００１５】
【図１】実施例１の木造住宅用伏図設計支援装置を示し、（Ａ）はシステムの全体構成を示す模式図、（Ｂ）はコンピュータプログラムの構成を示す模式図である。
【図２】実施例１の木造住宅用伏図設計支援装置にインストールされたプログラムを示し、（Ａ）は「たわみ量算出プログラム」、（Ｂ）は「たわみ蓄積量算出プログラム」のフローチャートである。
【図３】実施例１の木造住宅用伏図設計支援装置におけるたわみ蓄積量の計算例を示し、（Ａ）は住宅の構造を示す斜視図、（Ｂ）は各横架材の荷重点、スパン長、断面係数の関係を示す模式図、（Ｃ）は各横架材に生じるたわみ量及びたわみ曲線の模式図である。
【図４】実施例１の木造住宅用伏図設計支援装置にインストールされたプログラムを示し、（Ａ）は「たわみ量判定プログラム１（単体たわみ量）」、（Ｂ）は「たわみ量判定プログラム２（たわみ蓄積量）」のフローチャートである。
【図５】実施例１の木造住宅用伏図設計支援装置にインストールされた「判定結果表示プログラム１（単体たわみ量アラーム）」のフローチャートである。
【図６】実施例１の木造住宅用伏図設計支援装置にインストールされた「判定結果表示プログラム２（たわみ蓄積量アラーム）」のフローチャートである。
【発明を実施するための形態】
【００１６】
以下に、本発明を適用した木造住宅用伏図設計支援装置の実施例を説明する。
【実施例１】
【００１７】
実施例の木造住宅用伏図設計支援装置１は、図１（Ａ）に示す様に、コンピュータ１１と、モニタ１２と、キーボード１３と、マウス１４と、プリンタ１５と、ルータ１６とから構成される。コンピュータ１１にインストールされたプレカット用伏図設計支援プログラム２は、概念的に示すと図１（Ｂ）の様になり、たわみ量算出プログラムＳ１００、たわみ蓄積量算出プログラムＳ２００、たわみ量判定プログラム１（単体たわみ量）Ｓ３００、たわみ量判定プログラム２（たわみ蓄積量）Ｓ４００、判定結果表示プログラム１（単体たわみ量アラーム）Ｓ５００、判定結果表示プログラム２（たわみ蓄積量アラーム）Ｓ６００から構成される。
【００１８】
たわみ蓄積量算出プログラムＳ２００等は、たわみ量算出プログラムＳ１００が実行された後に実行される関係となっている。また、たわみ量判定プログラム２（たわみ蓄積量）Ｓ４００は、たわみ蓄積量算出プログラムＳ２００が実行された後に実行される関係となっている。そして、判定結果表示プログラム１（単体たわみ量アラーム）Ｓ５００は、たわみ量判定プログラム１（単体たわみ量）Ｓ３００が実行された後、判定結果表示プログラム２（たわみ蓄積量アラーム）Ｓ６００は、たわみ量判定プログラム２（たわみ蓄積量）Ｓ４００が実行された後に、それぞれ実行される関係となっている。
【００１９】
たわみ量算出プログラムＳ１００が実行されると、コンピュータ１１は、図２（Ａ）に示す様に、記憶装置に入力された伏図データを読み出し（Ｓ１１０）、たわみ量算出対象とする横架材を特定する（Ｓ１２０）。次に、コンピュータ１１は、当該横架材について、たわみ量及びたわみ曲線を算出し、記憶する（Ｓ１３０）。コンピュータ１１は、Ｓ１２０，Ｓ１３０の処理を、Ｓ１１０で読み出した伏図データに含まれている全ての横架材に対して実行したら（Ｓ１４０：ＹＥＳ）、本プログラムを終了する。
【００２０】
たわみ蓄積量算出プログラムＳ２００が実行されると、図２（Ｂ）に示す様に、コンピュータ１１は、横架材を特定し、当該横架材について記憶されているたわみ量を読み出す（Ｓ２１０）。次に、コンピュータ１１は、当該横架材について、同層階の他の横架材の中間部に対する仕口接合の関係を有しているか否かを判定する（Ｓ２２０）。
【００２１】
コンピュータ１１は、Ｓ２２０がＹＥＳの場合は、当該仕口接合の関係にある他の横架材について、仕口接合されている箇所を荷重点として計算荷重を付与したときの当該他の横架材のたわみ量を算出し、Ｓ２１０で読み出したたわみ量に加算する（Ｓ２３０）。続いて、コンピュータ１１は、Ｓ２１０で特定した横架材について、下層階の他の横架材の中間部に対して柱を介した接合関係を有しているか否かを判定する（Ｓ２４０）。コンピュータ１１は、Ｓ２４０がＹＥＳの場合は、当該柱を介した接合関係にある他の横架材について、柱接合されている箇所を荷重点として計算荷重を付与したときの当該他の横架材のたわみ量を算出し、Ｓ２３０で加算したたわみ量にさらに加算する（Ｓ２５０）。続いて、コンピュータ１１は、Ｓ２２０が「ＮＯ」であったか否かを判定する（Ｓ２６０）。Ｓ２２０が「ＹＥＳ」でＳ２６０へと進んだ場合は、Ｓ２３０，Ｓ２５０でたわみ量を加算した他の横架材を、接合関係の判断対象に加えた上で、Ｓ２２０の処理へと進む（Ｓ２７０）。コンピュータ１１は、Ｓ２２０〜Ｓ２７０の処理を繰り返すことにより、Ｓ２１０で特定した横架材に対する２次梁、３次梁、４次梁、…の関係にある横架材のたわみ量を全て、Ｓ２１０で特定した横架材のたわみ量に対して加算していくこととなる。
【００２２】
なお、コンピュータ１１は、Ｓ２２０がＮＯの場合はＳ２３０をパスしてＳ２４０へと処理を進める。そして、Ｓ２２０，Ｓ２４０が共にＮＯとなったら、コンピュータ１１は、Ｓ２２０〜Ｓ２７０の処理を繰り返して加算した結果を、Ｓ２１０で特定した横架材のたわみ蓄積量として記憶する（Ｓ２８０）。コンピュータ１は、Ｓ２２０，Ｓ２４０の判定が、共に１回目にＮＯとなった場合は、Ｓ２８０の処理におけるたわみ蓄積量として単体たわみ量をそのまま記憶することとなる。
【００２３】
コンピュータ１１は、Ｓ２１０〜Ｓ２８０の処理を、Ｓ１１０で読み出した伏図データに含まれている全ての横架材に対して実行したら（Ｓ２９０：ＹＥＳ）、本プログラムを終了する。
【００２４】
ここで、たわみ蓄積量算出プログラムＳ２００によるたわみ蓄積量の算出例を図３に基づいて説明する。
【００２５】
図３（Ａ）は、ある木造住宅の軸組構造を示す斜視図である。図において、符号Ｗ１で示す横架材がＳ２１０において特定された横架材である。横架材Ｗ１については、図３（Ｂ）に示す様に、スパン長ＳＰＬ１の中央を荷重点Ｐ１としてたわみ計算荷重を付与したときのたわみ量が、スパン長ＳＰＬ１、断面係数Ｚ１などの諸元を用いて、図３（Ｃ）に示す様に算出される。この例では、たわみ量算出プログラムＳ１００により、横架材Ｗ１について、「たわみ曲線ｆ（δ１）」と「たわみ量＝２．５ｍｍ」が算出されていたこととする。
【００２６】
次に、図３（Ａ）に示す様に、横架材Ｗ１は、横架材Ｗ２に対して仕口接合されている。従って、Ｓ２２０の判定が「ＹＥＳ」となり、Ｓ２３０に進む。そして、横架材Ｗ２について、図３（Ｂ）に示す様に、スパン長ＳＰＬ２の図示右端から約１／４の仕口接合箇所ＳＧ１−２を荷重点Ｐ２としてたわみ計算荷重を付与しときのたわみ量が、スパン長ＳＰＬ２、断面係数Ｚ２などの諸元を用いて、図３（Ｃ）に示す様に算出される。この例では、「たわみ曲線ｆ（δ２）」と「たわみ量＝３．４ｍｍ」が算出されたこととする。
【００２７】
次に、図３（Ａ）に示す様に、横架材Ｗ１は、柱Ｗｈ１を介して下層階の横架材Ｗ０と接合されているが、当該下層階の横架材Ｗ０は、柱Ｗｈ１と同一軸線上に配置される柱Ｗｈ２に支持されている。従って、横架材Ｗ０については、中間部に対する柱接合とはならず、Ｓ２４０の判定は「ＮＯ」となる。
【００２８】
次に、同層階で仕口接合の関係にある横架材Ｗ２を他の横架材との接合関係を判断する対象に加え（Ｓ２７０）、Ｓ２２０の処理へと戻る。図３（Ａ）に示す様に、横架材Ｗ２に対しては、同層階の横架材Ｗ３が仕口接合の対象となっている。このため、横架材Ｗ２を加えた後のＳ２２０の判定が「ＹＥＳ」となり、Ｓ２３０に進む。そして、横架材Ｗ３について、図３（Ｂ）に示す様に、スパン長ＳＰＬ３の図示左端から約１／３の仕口接合箇所ＳＧ２−３を荷重点Ｐ３としてたわみ計算荷重を付与しときのたわみ量が、スパン長ＳＰＬ３、断面係数Ｚ３などの諸元を用いて、図３（Ｃ）に示す様に算出される。この例では、「たわみ曲線ｆ（δ３）」と「たわみ量＝５．９ｍｍ」が算出されたこととする。
【００２９】
次に、図３（Ａ）に示す様に、横架材Ｗ３は、柱Ｗｈ３を介して下層階の横架材Ｗ４と接合されている。この木造住宅の軸組構造では、横架材Ｗ４は、横架材Ｗ０と同じく中間部に対する柱接合ではないが、当該横架材Ｗ４が横架材Ｗ５の上面にて支持される関係になっている。このため、横架材Ｗ５について見たときには、中間部に対する柱接合の関係にある。このため、本実施例では、Ｓ２４０が「ＹＥＳ」となり、Ｓ２５０へと進む。そして、横架材Ｗ４，Ｗ５について、図３（Ｂ）に示す様に、柱Ｗｈ３との接合箇所を荷重点Ｐ４，Ｐ５としてたわみ計算荷重を付与しときのたわみ量が、スパン長ＳＰＬ４，ＳＰＬ５、断面係数Ｚ４，Ｚ５などの諸元を用いて、図３（Ｃ）に示す様に、横架材Ｗ４については「たわみ曲線ｆ（δ４）」と「たわみ量＝０ｍｍ」が、横架材Ｗ５については「たわみ曲線ｆ（δ５）」と「たわみ量＝５．１ｍｍ」が、それぞれ算出されたこととする。なお、横架材Ｗ４については、「たわみ曲線ｆ（δ４）」と「たわみ量」の計算は省略しても構わない。
【００３０】
以上の様にして、Ｓ２１０で特定した横架材Ｗ１に対しては、図３（Ｃ）に示す様に、他の横架材Ｗ２〜Ｗ５における「たわみ量」が加算された「たわみ蓄積量＝１６．９ｍｍ」が算出されることとなる。
【００３１】
たわみ量判定プログラム１（単体たわみ量）Ｓ３００が実行されると、図４（Ａ）に示す様に、コンピュータ１１は、横架材を特定し（Ｓ３１０）、当該横架材について記憶されているたわみ量を読み出し（Ｓ３２０）、たわみ量がたわみ許容値を満足しているか否かを判定し（Ｓ３３０）、ＹＥＳの場合は、当該横架材について、単体たわみ量アラームを記憶する（Ｓ３４０）。Ｓ３３０がＹＥＳと判定された場合は、コンピュータ１１は、当該横架材については、Ｓ３４０の処理をパスする。
【００３２】
コンピュータ１１は、Ｓ３１０以下の処理を、Ｓ１１０で読み出した伏図データに含まれている全ての横架材に対して実行したら（Ｓ３５０：ＹＥＳ）、本プログラムを終了する。
【００３３】
たわみ量判定プログラム２（単体たわみ量）Ｓ４００が実行されると、図４（Ｂ）に示す様に、コンピュータ１１は、横架材を特定し（Ｓ４１０）、当該横架材について記憶されているたわみ蓄積量を読み出し（Ｓ４２０）、たわみ蓄積量がたわみ許容値を満足しているか否かを判定し（Ｓ４３０）、ＹＥＳの場合は、当該横架材について、たわみ蓄積量アラームを記憶する（Ｓ４４０）。Ｓ４３０がＹＥＳと判定された場合は、コンピュータ１１は、当該横架材については、Ｓ４４０の処理をパスする。
【００３４】
コンピュータ１１は、Ｓ４１０以下の処理を、Ｓ１１０で読み出した伏図データに含まれている全ての横架材に対して実行したら（Ｓ４５０：ＹＥＳ）、本プログラムを終了する。
【００３５】
判定結果表示プログラム１（単体たわみ量アラーム）Ｓ５００が実行されると、図５に示す様に、コンピュータ１１は、単体たわみ量アラームが記憶された横架材について、当該アラーム情報を読み出し（Ｓ５１０）、モニタ１２に、当該横架材を含む階層の伏図を表示すると共に、アラーム対象となった横架材を赤色等のコーション表示とする（Ｓ５２０）。ここで、アラーム対象となった横架材が同層階に複数ある場合は、それらを全てコーション表示とする。また、アラーム対象となった横架材が、複数の階層について存在する場合は、上層階の伏図上でＳ５２０の表示を行いつつ、他の階層にもアラーム対象が存在することを報知するメッセージ等を併せて表示する。
【００３６】
コンピュータ１１は、表示する階層の切り替えを指令する操作を受け付けた場合は（Ｓ５３０：ＹＥＳ）、階層表示の切り替えを行う（Ｓ５４０）。また、コンピュータ１１は、モニタ１２に表示している階層において横架材を指定する操作を受け付けた場合は（Ｓ５５０：ＹＥＳ）、当該横架材のたわみ量をモニタ１２に表示する（Ｓ５６０）。コンピュータ１１は、作業者による終了の指令を受け付けたとき（Ｓ５７０：ＹＥＳ）、本プログラムを終了する。
【００３７】
判定結果表示プログラム２（たわみ蓄積量アラーム）Ｓ６００が実行されると、図６に示す様に、コンピュータ１１は、たわみ蓄積量アラームが記憶された横架材について、当該アラーム情報を読み出し（Ｓ６１０）、モニタ１２に、当該横架材を含む階層の伏図を表示すると共に、アラーム対象となった横架材を赤色等のコーション表示とする（Ｓ６２０）。ここで、アラーム対象となった横架材が同層階に複数ある場合は、それらを全てコーション表示とする。また、アラーム対象となった横架材が、複数の階層について存在する場合は、上層階の伏図上でＳ６２０の表示を行いつつ、他の階層にもアラーム対象が存在することを報知するメッセージ等を併せて表示する。
【００３８】
コンピュータ１１は、表示する階層の切り替えを指令する操作を受け付けた場合は（Ｓ６３０：ＹＥＳ）、階層表示の切り替えを行う（Ｓ６４０）。また、コンピュータ１１は、モニタ１２に表示している階層において横架材を指定する操作を受け付けた場合は（Ｓ６５０：ＹＥＳ）、当該横架材のたわみ蓄積量と、当該横架材に対して２次梁、３次梁、４次梁、…の関係にある横架材と、各横架材の存在する階層と、各横架材のたわみ量とを一覧表にしてモニタ１２に表示する（Ｓ６６０）。コンピュータ１１は、この一覧表から横架材を指定する操作を受け付けた場合は（Ｓ６７０：ＹＥＳ）、当該横架材について構造強度に関する詳細情報を追加した表示を実行する（Ｓ６８０）。
【００３９】
なお、Ｓ６６０による表示例としては、たわみ蓄積アラームとなった横架材を含む階層の伏図上において、当該横架材をコーション表示すると共に、当該横架材を１次梁とし、２次梁、３次梁、４次梁、…の関係にある横架材と、各横架材の存在する階層と、各横架材のたわみ量とを一覧表で表示するとよい。
【００４０】
また、上述の様な表示において、追加表示として、スパン強度評価リスト、樹種名称、ヤング率、寸法、参考梁成、断面２次モーメント、断面係数、有効断面積、曲げ許容応力度、せん断力許容応力度、許容曲げモーメント、許容せん断力、許容たわみに関するテーブル表示、計算条件とした荷重Ｎｏ．、荷重、最大曲げモーメント、始・終点せん断力、最大たわみ、及びこれらの検定結果等に関するテーブル表示、さらに、モーメント図、たわみ図等に関するイメージ表示を追加表示するとよい。
【００４１】
コンピュータ１１は、印刷指令を受け付けた場合は（Ｓ６９０：ＹＥＳ）、プリンタ１５に、モニタ表示している情報を印刷させる（Ｓ７００）。また、コンピュータ１１は、戻りの指令を受け付けた場合は（Ｓ７１０：ＹＥＳ）、モニタ１２の表示内容をＳ６６０の表示内容へと戻す。
【００４２】
コンピュータ１１は、作業者による終了の指令を受け付けたとき（Ｓ７２０：ＹＥＳ）、本プログラムを終了する。
【００４３】
以上説明した実施例によれば、横架材の単体としてのたわみ量だけでなく、２次梁、３次梁、４次梁、…の関係にある横架材のたわみ量による影響を考慮してたわみ許容条件を満足しているか否かの判定を行い、当該判定の結果を、モニタ１２に表示する際、１次梁となる横架材に関する情報だけではなく、２次梁、３次梁、４次梁、…の関係にある他の横架材を特定しつつ、これら他の横架材の階層、さらに、これら他の横架材によって加算されたたわみ量を表示するから、他の横架材のたわみ量の蓄積により、たわみ許容条件を満足しないこととなった横架材が存在する場合に、「どの横架材の材成や素材を変更したらよいか」、「横架材同士の接合関係や柱による支持の関係を変更したらよいか」等、たわみ許容条件を満足させるための有効な情報を得ることが作業者に対して知らせることができる。これにより、本実施例によれば、木造住宅における横架材の実際のたわみ挙動を考慮した伏図設計支援を行うことができる。
【００４４】
以上、本発明の実施例について説明したが、本発明は上述した実施例に限られることなく、その要旨を逸脱しない範囲内において、さらに種々の態様にて実施することができる。
【００４５】
例えば、実施例では、他の横架材のたわみ曲線から影響を与えるたわみ量を算出して加算しているが、他の横架材の最大たわみ量を単純に加算する修正として、安全サイドの判定結果を表示する装置として構成することもできる。
【産業上の利用可能性】
【００４６】
木造住宅用の木材プレカット加工データの作成に有益であり、木材プレカット工場において利用するのに適している。
【符号の説明】
【００４７】
１・・・木造住宅用伏図設計支援装置、２・・・コンピュータプログラム、１１・・・コンピュータ、１２・・・モニタ、１３・・・キーボード、１４・・・マウス、１５・・・プリンタ、１６・・・ルータ。
【図１】
2019067277.tif 000003
【図２】
2019067277.tif 000004
【図３】
2019067277.tif 000005
【図４】
2019067277.tif 000006
【図５】
2019067277.tif 000007
【図６】
2019067277.tif 000008
【手続補正書】
【提出日】平成29年10月5日(2017.10.5)
【手続補正１】
【補正対象書類名】明細書
【補正対象項目名】０００５
【補正方法】変更
【補正の内容】
【０００５】
しかし、特許文献１，２が提案する技術は、個々の横架材のスパン長・断面係数等に基づくたわみ計算でしかなく、実際の木造住宅において仕口接合される同層階の他の横架材との関係や柱接合される下層階の他の横架材との関係等は考慮されておらず、木造住宅における横架材の実際のたわみ挙動を十分に考慮したものとなってはいない。